(57)【要約】【課題】従来の電子機器では、記録媒体挿入口が開口される機器本体の一面に対して記録媒体収納部が垂直に延在するように構成されていたため、機器本体の内部に収納される装置、機構等の配置に制約を受けることになり、電子機器本体の小型化、薄型化を図ることが困難であるという課題がある。【解決手段】半導体記録メディア１０１が着脱可能に収納される記録媒体収納部５の記録媒体挿入口３が一面に開口された外装ケース２を備え、記録媒体収納部５は、外装ケース２の一面に対して半導体記録メディア１０１が斜めに収納されるように傾斜させて設けた。【選択図】図１１
2007174584.tif 000002
【特許請求の範囲】
【請求項１】
情報記録媒体が着脱可能に収納される記録媒体収納部の記録媒体挿入口が一面に開口された電子機器本体を備え、
前記記録媒体収納部は、前記電子機器本体の前記一面に対して前記情報記録媒体が斜めに収納されるように傾斜させて設けたことを特徴とする電子機器。
【請求項２】
前記電子機器本体には、回動機構によって回動可能に支持された開閉部材を設け、
前記電子機器本体の前記開閉部材により閉じられる位置に前記記録媒体挿入口を配置したことを特徴とする請求項１記載の電子機器。
【請求項３】
前記記録媒体挿入口は、前記電子機器本体の一面に設けた凹部の端面に開口させると共に、当該端面の底と前記一面を緩やかな傾斜面で連続させることにより前記記録媒体を前記記録媒体収納部に挿入する際のガイドとしたことを特徴とする請求項１記載の電子機器。
【請求項４】
前記記録媒体収納部には、前記情報記録媒体の押圧操作を繰り返えすことにより当該情報記録媒体の装着動作と離脱動作が交互に実行されるプッシュ・プッシュ機構を設けたことを特徴とする請求項１記載の電子機器。
【請求項５】
前記傾斜面には、前記情報記録媒体の前記押圧操作を容易にする凹陥部を設けたことを特徴とする請求項４記載の電子機器。
【発明の詳細な説明】
【技術分野】
【０００１】
本発明は、デジタルビデオカメラやデジタルスチルカメラ、電子ブックプレーヤ等の電子機器に関し、特に、情報記録媒体を使用して情報信号の記録及び／又は再生が可能な電子機器に関するものである。
【背景技術】
【０００２】
従来の、この種の電子機器としては、例えば、特許文献１に記載されているようなものがある。特許文献１には、メモリステックその他の情報記録媒体が挿入される記録媒体挿入口を開閉する開閉扉を有する電子機器に関するものが記載されている。この特許文献１に記載された電子機器は、「情報記録媒体が出し入れされる記録媒体挿入口が設けられた機器本体と、上記記録媒体挿入口を開閉するため上記機器本体に回動自在に支持された開閉扉と、を備えた電子機器において、上記開閉扉は、当該開閉扉の回動中心と上記機器本体に接触する接触部とを結んだ直線が上記記録媒体挿入口の開口面に対して傾斜するように取り付けた」ことを特徴としている。
【０００３】
このような構成を有する特許文献１に記載の電子機器によれば、「記録媒体挿入口の外縁が外力によって内側に撓んだような場合にも、接触面から開閉扉に付与される力によって開閉扉を後方へ回動させることにより、開閉扉が潰されるのを防ぐことができる（段落［００６８］を参照）」等の効果が期待される。
【０００４】
従来の電子機器の他の例としては、例えば、特許文献２に記載されているようなものもある。特許文献２には、カード型記録媒体に撮影画像中の静止画データ等を記録、再生するカード型記録装置を内蔵したビデオカメラに関するものが記載されている。この特許文献２に記載されたビデオカメラは、「撮影部と、上記撮影部の後部に配置されたビユーファインダー部と、上記撮影部及びビユーファインダー部の下部に配置され、撮影画像等をテープ状記録媒体又はディスク状記録媒体等の主記録媒体に記録、再生するメカデッキ部と、上記メカデッキ部の一側部に配置された開閉式のモニター部とを備えたビデオカメラにおいて、カード型記録媒体に撮影画像等を記録、再生するカード型記録装置を上記撮影部及びビューファインダー部の下部で、上記メカデッキ部と上記モニター部で囲まれた空間内にこれらメカデッキ部及びモニター部とほぼ平行状に配置した」ことを特徴としている。
【０００５】
このような構成を有する特許文献２に記載のビデオカメラによれば、「従来、カード型記録再生装置を収容するために必要であったメカデッキ部のモニター部とは反対側の張り出し部を除去することができ、撮像部の固体撮像素子の高画素数に対応させて大口径のレンズを搭載しても、ビデオカメラの小幅化を図ることができて、高感度で、薄型のビデオカメラを実現することができる（段落［００３７］を参照）」等の効果が期待される。
【特許文献１】特開２０００−３２２５１８号公報
【特許文献２】特開２００１−５３９９４号公報
【０００６】
しかしながら、特許文献１に記載された電子機器及び特許文献２に記載されたビデオカメラのいずれの場合においても、情報記録媒体を収納する記録媒体収納部の記録媒体挿入口が機器本体の一面に開口されており、その記録媒体挿入口に連続する記録媒体収納部が機器本体の一面に対して垂直に延在するように構成されていた。
【０００７】
一方、機器本体の内部には、主記録媒体に対して情報信号の記録・再生を行うメカデッキ部や、その記録・再生等の制御を行うために回路基板にＬＳＩや抵抗その他の電子部品を搭載した制御回路等が内蔵されている。これに加えて、第２の外部記憶装置を新たに設置することを考えると、機器本体の一面に記録媒体挿入口が開口され、その一面から垂直方向に延在される記録媒体収納部のためのスペースが生じるようにメカデッキ部や制御回路等を配置しなければならないことになる。その結果、機器本体の内部に収納される装置、機構等の配置等に大きな制約を受けることになり電子機器本体の小型化、薄型化を図ることが困難であるという問題があった。
【発明の開示】
【発明が解決しようとする課題】
【０００８】
解決しようとする問題点は、従来の電子機器では、記録媒体挿入口が開口された機器本体の一面に対して記録媒体収納部が垂直に延在するように構成されていたため、機器本体の内部に収納される装置、機構等の配置に大きな制約を受けることになり電子機器本体の小型化、薄型化を図ることが困難である、という点である。
【課題を解決するための手段】
【０００９】
本発明の電子機器は、情報記録媒体が着脱可能に収納される記録媒体収納部の記録媒体挿入口が一面に開口された電子機器本体を備え、記録媒体収納部は、電子機器本体の一面に対して情報記録媒体が斜めに収納されるように傾斜させて設けたことを最も主要な特徴とする。
【発明の効果】
【００１０】
本発明の電子機器によれば、記録媒体挿入口が開口される機器本体の一面に対して情報記録媒体が斜めに収納されるように記録媒体収納部を傾斜させて設ける構成としたため、機器本体の内部に生じるスペースを有効に使用することができ、電子機器全体の小型化、薄型化を実現することができる。
【発明を実施するための最良の形態】
【００１１】
機器本体の内部に生じるスペースを有効に使用して記録媒体収納部を配置することができ、機器本体の内部に設けられる記録媒体収納部以外のその他の部品、機構等の配置を比較的自由に設定して機器全体の小型化、薄型化を図ることができる電子機器を、簡単な構成によって実現した。
【００１２】
以下、本発明の実施の形態を、添付した図面を参照して説明する。図１〜図１６は、本発明の電子機器の一実施例である撮像装置を示すものである。即ち、図１は正面側から見た斜視図、図２は背面側から見た斜視図、図３は正面図、図４は背面図、図５は左側面図、図６は右側面図、図７は平面図、図８は底面図、図９は表示装置を開いた側方からの斜視図である。また、図１０〜図１６は、図１に示す撮像装置の要部を示すもので、図１０は記録媒体挿入口を拡大して示す説明図、図１１は記録媒体収納部を断面した説明図、図１２は記録媒体収納部の取付状態を示す説明図、図１３〜図１６は図１に示す撮像装置に装着される化粧カバーを説明するための説明図である。
【００１３】
図１〜図９に示す撮像装置１は、本発明の電子機器の一実施例を示すもので、２種類の情報記録媒体を使用することができるものである。２種類の情報記録媒体の１つは主として使用されるもので、情報記録媒体としてテープ状記録媒体を用いたデジタルビデオカセット（以下「ＤＶカセット」という。）であり、他の１つは、本発明に係る情報記録媒体の一具体例を示す半導体記録メディア１０１、例えば、メモリースティック（ソニー株式会社の登録商標）である。
【００１４】
まず、本発明に係る情報記録媒体の一具体例を示す半導体記録メディア１０１について説明する。この半導体記録メディア１０１は、画像や音声等のデータを記録、再生することができるカード型記録媒体である。図９に示すように、半導体記録メディア１０１は、略長方形をなす偏平の筐体からなるケース本体１０２を有し、このケース本体１０２の内部に記憶容量の大きなメモリが内蔵されている。ケース本体１０２の材料としては、例えば、プラスチックが好適である。
【００１５】
このケース本体１０２の電子機器への挿入方向の先端側において一方の角部には、誤挿入を防止するための切欠き１０３が設けられている。図示しないが、ケース本体１０２の裏面には、半導体記録メディア１０１を電子機器に装着した際に、機器本体側の端子に接続されるコネクタが露出されている。
【００１６】
図１〜図９に示すように、撮像装置１は、光学的な画像をＣＣＤ（電荷結合素子）で電気的な信号に変換して第１の外部記憶装置であるＤＶカセットと、第２の外部記憶装置である半導体記録メディア１０１に選択的に記録したり液晶モニタ等の表示装置に表示できるようにしたもの（以下「デジタルビデオカメラ」という。）である。このデジタルビデオカメラ１は、横長の筐体からなる中空の外装ケース２と、この外装ケース２の一方の側面に設けられる記録媒体挿入口３と、この記録媒体挿入口３から半導体記録メディア１０１が着脱自在に収納される記録媒体収納部５と、外装ケース２の正面に配置される対物レンズ８を有するレンズ装置７と、ファインダやタッチ操作パネルの機能をも兼ねる表示装置９と、ＤＶカセットが着脱可能に装着される図示しないメカデッキ等を備えて構成されている。
【００１７】
外装ケース２は、対物レンズ８が露出される正面部２ａと、背面を形成する背面部２ｂと、底面を形成する底面部２ｃと、正面から見て左側の側面を形成する左側面部２ｄと、右側の側面を形成する右側面部２ｅとから構成されている。レンズ装置７は、外装ケース２の上部に内蔵された状態で固定されている。図示しないが、外装ケース２の内部において、レンズ装置７の後方にＣＣＤが配設されており、そのＣＣＤの後方にビューファインダ１１が配設されている。更に、外装ケースの上部には、照明装置や外付けマイクロホン等のアクセサリーが着脱可能に装着される図に表れないアクセサリーシューが設けられている。このアクセサリーシューは、ビューファインダ１１の直前に配置されていて、通常、不使用時に空間部分を埋める蓋体をなすシューキャップ１２で覆われている。
【００１８】
図３等に示すように、外装ケース２の正面部２ａには、対物レンズ８の左側に配置されるフラッシュ装置１４と、そのフラッシュ装置１４の下部に配置される第１の内蔵マイクロホン１５Ａとが設けられている。更に、正面部２ａには、対物レンズ８の下側に化粧カバー１６が着脱可能に装着されている。この化粧カバー１６は、主にデザイン性の観点から用いられるものであり、複数の部材を組み立てて形成される外装ケース２の組立時に装着されている。
【００１９】
図１３に示すように、外装ケース２の正面部２ａは、対物レンズ８が収納される正面側ケース部材２Ａと、正面から見て外装ケース２の右側をなす右側ケース部材２Ｂにより形成されている。そして、正面側ケース部材２Ａと右側ケース部材２Ｂとの間に挟まれるように化粧カバー１６が装着されている。この化粧カバー１６は、略長方形の板体をなす本体板８１と、この本体板８１の長手方向の一端に連続する段部８２とから構成されている。化粧カバー１６の段部８２は、本体板８１の正面側から略垂直に突出していて、その先端が、対物レンズ８が収納される正面側ケース部材２Ａの円筒部分に対応した円弧状に形成されている。
【００２０】
図１４に示すように、本体板１７の裏面の長手方向の両側には、第１の突条片８４と第２の突条片８５が設けられている。第１の突条片８４の上面には、第１の係合爪８４ａと第２の係合爪８４ｂが設けられていると共に、第２の突条片８５に対向する表裏面を貫通する角孔８４ｃが設けられている。第１の突条片８４の第１及び第２の係合爪８４ａ，８４ｂは、正面側ケース部材２Ａに設けた後述する係合突部８９，９０に係合される。また、角孔８４ｃには、右側ケース部材２Ｂの突起片９４が挿通される。
【００２１】
第２の突条片８５は、第１の突条片８４と同様に細長の突条をなしており、その上面に第１の係合爪８５ａと第２の係合爪８５ｂが設けられている。これら係合爪８５ａ，８５ｂは、正面側ケース部材２Ａの後述する係合穴９１，９１に係合される。更に、本体板８１の裏面の段部と反対側の端部には、右側ケース部材２Ｂの側面片９５が係合される係合溝８６と、正面側ケース部材２Ａの後述するア−ス部材９２に係合される係合突起８７が設けられている。このような化粧カバー１６は、デザイン性の観点からアルミ合金等の金属材料や、金属メッキが施された合成樹脂等によって形成されている。
【００２２】
図１５に示すように、正面側ケース部材２Ａには、化粧カバー１６に対応する一辺に２つの切欠きが設けられており、これにより、係合突部８９，９０が形成されている。また、正面側ケース部材２Ａには、化粧カバー１６の第２の突条片８５に設けた第１及び第２の係合爪８５ａ，８５ｂに対応する位置に係合穴９１，９１が設けられている。更に、図１５において、正面側ケース部材２Ａの下方の端部には、金属材料から形成されたアース部材９２が取り付けられている。このアース部材９２は、平面形状がくの字となるように折り曲げられたバネ部９２ａを有しており、このバネ部９２ａに化粧カバー１６の係合突起８７が係合される。
【００２３】
上述した化粧カバー１６は、例えば、次のようにして簡単に外装ケース２に装着することができる。まず、化粧カバー１６を正面側ケース部材２Ａに係合させる。即ち、図１６に示すように、化粧カバー１６の第１の突条片８４に設けた係合爪８４ａ，８４ｂを正面側ケース部材２Ａの係合突部８９，９０にそれぞれ係合させると共に、化粧カバー１６の第２の突条片８５に設けた係合爪８５ａ，８５ｂを正面側ケース部材２Ａの係合穴９１，９１に係合させる。
【００２４】
このとき、化粧カバー１６の係合突起８７が正面側ケース部材２Ａに取り付けたア−ス部材９２のバネ部９２ａに係合する。これにより、係合突起８７とバネ部９２ａとが接触するため、その接触部分をアースの接点とすることができる。更に、化粧カバー１６がバネ部９２ａのバネ力により横方向（図１６において左側に向かう方向）に付勢されるため、化粧カバー１６を正面側ケース部材２Ａに仮止めすることができる。
【００２５】
次に、化粧カバー１６を正面側ケース部材２Ａに係合させて仮止めした組立体に、右側ケース部材２Ｂを係合させる。即ち、化粧カバー１６の第１の突条片８４に設けた角孔８４ｃに右側ケース部材２Ｂの突起片９４を挿通させると共に、化粧カバー１６の係合溝８６に右側ケース部材２Ｂの側面片９５を係合させる。これにより、外装ケース２に対する化粧カバー１６の装着がなされる。このように、化粧カバー１６は、正面側ケース部材２Ａ及び右側ケース部材２Ｂに嵌め合わせるように係合させて装着する構成としたため、外装ケース２に対して容易に着脱を行うことができると共に、固定ねじ、接着剤等の固着手段を用いる必要がなく、コストダウンを図ることができる。
【００２６】
図４等に示すように、外装ケース２の背面部２ｂには、電源バッテリー２１が着脱自在に装着されるバッテリー収納部２２と、このバッテリー収納部２２の上部に配置されるバッテリーロック解除ボタン２３と、フラッシュ装置１４のオン・オフを選択するためのフラッシュスイッチ２４が設けられている。バッテリー収納部２２は、電源バッテリー２１の装着面と略同等の大きさに開口されていて、電源バッテリー２１は後方斜め上方から差し込むように装着され、バッテリーロック解除ボタン２３を押すことで同方向に取り外し可能とされている。
【００２７】
図８に示すように、外装ケース２の底面部２ｃには、図示しないクレードル装置等に接続するための接続端子２６と、三脚用ねじ穴２７と、クレードル装置や三脚等にデジタルビデオカメラ１を取り付ける際に位置決めを行うための２つの位置決め用穴２８ａ，２８ｂが設けられている。接続端子２６は、底面部２ｃの幅方向の略中央部に配置されていて、この接続端子２６がクレードル装置のコネクタに接続される。これにより、そのクレードル装置を介して、デジタルビデオカメラ１とパソコン、テレビ等の外部機器間で画像、音声等の電気信号を送受信したり、バッテリー収納部２２に装着された電源バッテリー２１の充電等を行うことができる。
【００２８】
図２及び図５等に示すように、外装ケース２の左側面部２ｄには、メカデッキの上面及び側面を露出させるための開口部が設けられており、この開口部がメカデッキ蓋３１によって開閉可能とされている。図示しないが、メカデッキは、ＤＶカセットが着脱自在に装着されるカセットホルダと、磁気ヘッドが設けられた回転ヘッドドラムと、この回転ヘッドドラムの駆動等を制御する制御装置等を備えて構成されており、外装ケース２の内部に固定されている。
【００２９】
メカデッキ蓋３１は、ヒンジ等の連結手段によって左側面部２ｄの下部に回動可能に連結されている。このメカデッキ蓋３１の回動動作は、メカデッキのカセットホルダの動作に連動されており、メカデッキ蓋３１を開いて開口部を開放すると、メカデッキのカセットホルダのＤＶカセット挿入口が開口される。これにより、ＤＶカセットをカセットホルダに装着したり、予めカセットホルダに装着されているテープカセットを取り出すことができる。
【００３０】
メカデッキ蓋３１の側部３１ａは、メカデッキ蓋３１を閉じた状態において外装ケース２の背面部２ｂと同一平面を形成するように構成されている。メカデッキ蓋３１の側部３１ａには、ビューファインダ１１の右側に電源／モード切換ダイヤル３２が設けられており、その下部に録画ボタン３３が設けられている。録画ボタン３３は、プッシュ・プッシュ方式のスイッチ手段からなり、その押圧操作により動画撮影のスタートとストップが繰り返される。
【００３１】
電源／モード切換ダイヤル３２の上部にはロック解除ボタン３２ａが設けられており、このロック解除ボタンを押圧して電源／モード切換ダイヤル３２を回動することにより電源のオン・オフが切り換えられる。更に、電源／モード切換ダイヤル３２は、電源オン位置において電源オフ位置と反対側に回動操作可能であると共に、その回動操作後に電源オン位置に戻るように構成されている。そして、回動操作を繰り返すことにより、ＤＶカセットに画像を記録する「テープ記録モード」と、半導体記録メディア１０１に画像を記録する「メモリ記録モード」と、「見る・編集モード」との３つのモードが順番に実行され、その３態様から任意のモードを選択することができるようになっている。
【００３２】
更に、メカデッキ蓋３１の上部には、側部３１ａ側から順にシャッタボタン３５と、ズームレバー３６と、蓋ロック解除ボタン３７が設けられている。シャッタボタン３５は静止画を撮影するためのもので、その押圧操作により、１回の押圧操作毎に１つの静止画が撮影される。ズームレバー３６は、撮影時において画像を拡大又は縮小するためのもので、その操作量に応じて所定の範囲内で画像の拡大又は縮小が連続して実行される。また、蓋ロック解除ボタン３７は、メカデッキ蓋３１が閉じてロックされた状態を解除するためのもので、そのスライド操作によりメカデッキ蓋３１の回動動作が可能になる。
【００３３】
また、図２に示すように、外装ケース２の左側面部２ｄには、メカデッキ蓋３１を囲うようにハンドストラップ３９が取り付けられている。ハンドストラップ３９は、デジタルビデオカメラ１を把持するユーザーの手の甲に当接して、そのデジタルビデオカメラ１を落とさないように支えるものである。このハンドストラップ３９は、支持ベルト４０と、この支持ベルト４０に装着されてユーザーの手の甲に当接される保護パッド４１から構成されている。支持ベルト４０の一端は、メカデッキ蓋３１の後側下部に設けられた第１のベルト取付部４２に固定され、他端は、外装ケース２の左側面部２ｄの前側下部に設けられた第２のベルト取付部４３に固定されている。
【００３４】
図１及び図９等に示すように、外装ケース２の右側面部２ｅには、開閉部材の一具体例を示す表示装置９が姿勢変更可能に取り付けられている。表示装置９は、液晶ディスプレイ等の平板状の平面モニタ４５と、この平面モニタ４５が収納されるモニタケース４６と、このモニタケース４６の平面モニタ４５が露出される側の面に配置される複数の操作ボタンからなるモニタ側操作部４７と、モニタケース４６を外装ケース２に対して姿勢変更可能に支持するケース支持部４８等から構成されている。ケース支持部４８は、垂直軸を回動中心としてモニタケース４６を水平方向に略９０度回動可能とした水平回動機能と、水平軸を回動中心としてモニタケース４６を前後方向に略１８０度回動可能とした前後回動機能とを有している。
【００３５】
これにより、表示装置９は、図１に示す平面モニタ４５を外装ケース２の右側面部２ｅに対向させて閉じた状態と、その状態からモニタケース４６を水平方向に略９０度回動させて平面モニタ４５を後方へ対向させた状態（図９を参照）と、それらの中間位置の状態とを任意に取ることができる。更に、表示装置９は、図９に示す状態からモニタケース４６を前後方向に１８０度回動させて平面モニタ４５を前方へ対向させた状態と、その状態からモニタケース４６を外装ケース２側へ水平方向に略９０度回動させて平面モニタ４５を外側にむけて閉じた状態と、それらの中間位置の状態も任意に取ることができる。
【００３６】
また、外装ケース２の右側面部２ｅには、表示装置９を閉じた状態でその表示装置９の上方に配置される複数の操作ボタンからなる外側操作部５０が設けられている。この外側操作部５０の操作ボタンとしては、例えば、平面モニタ４５の裏面に配置されるバックライトのオン・オフを操作するバックライトボタンや、電源バッテリー２１の残量及び撮影可能時間等を平面モニタ４５に表示させるためのインフォメーションボタンや、メニューボタン等を挙げることができる。
【００３７】
図９に示すように、表示装置９によって開閉可能に覆われる右側面部２ｅの開閉面５１には、外装ケース２の内部に配置される記録媒体収納部５に半導体記録メディア１０１を収納するための記録媒体挿入口３と、第２の内蔵マイクロホン１５Ｂとが設けられている。記録媒体挿入口３は、右側面部２ｅの後側中間部に設けられた凹部５２に配置されており、この凹部５２と反対側である前側中間部に第２の内蔵マイクロホン１５Ｂが配置されている。
【００３８】
記録媒体挿入口３が配置される凹部５２は、半導体記録メディア１０１を外装ケース２の内部に設けられた記録媒体収納部５に挿入又は取り外す際に、その半導体記録メディア１０１の移動を案内するためのガイド部としての役割を有している。この凹部５２は、平面形状が略四角形をなしていて、互いに対向して外装ケース２の上下方向に延びる２つの辺の長さが、半導体記録メディア１０１の幅方向の長さと略同等に設定されている。
【００３９】
図１０に示すように、凹部５２は、開閉面５１の後側端部の近傍から外装ケース２の内部に向かう緩やかな傾斜面とされた底面５４と、この底面５４の３辺に連続して開閉面５１まで立ち上がる壁面５５によって形成されている。そして、凹部５２の壁面５５のうち後方へ対向される端面５５ａに記録媒体挿入口３が配置され、底面５４に連続するように開口されている。
【００４０】
凹部５２の底面５４には、記録媒体収納部５に収納される半導体記録メディア１０１の着脱操作を容易にするための凹陥部５６が設けられている。この凹陥部５６は、平面形状が略半円状とされていて、直線部から円弧部に至るに伴って逐次的に低くなるように勾配を有する形状とされている。また、凹部５２の端面５５ａの高さは、半導体記録メディア１０１の厚みよりも大きく設定されている。これにより、半導体記録メディア１０１の挿入方向の先端側が記録媒体収納部５に収納された状態において、記録媒体挿入口から露出する半導体記録メディア１０１の後端側は、外装ケース２の開閉面５１から突出することがなく、表示装置９と干渉する心配がない。
【００４１】
図１１及び図１２は、外装ケース２の内部に配置される記録媒体収納部５の設置状態を示すものであり、図１１は外装ケース２を水平方向に断面した説明図、図１２は外装ケース２の内部の記録媒体収納部５等を示す説明図である。図１１に示すように、外装ケース２の内部の右側面部２ｅ側には、各種の電子部品が実装された制御回路基板５９が配置されていて、この制御回路基板５９と右側面部２ｅとの間の間隙に記録媒体収納部５が配置されている。
【００４２】
図１２に示すように、記録媒体収納部５は、略四角形をなす偏平の筐体からなる中空の収納部本体６１と、この収納部本体６１の一方の平面に一体的に取り付けられた記録媒体基板６２等から構成されている。収納部本体６１は、記録媒体基板６２が取り付けられる平面に図に表れない開口部が設けられていると共に、この開口部を設けた平面に直交する４つの側面の一面に半導体記録メディア１０１が出し入れされる開口部６１ａが設けられている。
【００４３】
収納部本体６１の内部には、図示しないプッシュ・プッシュ機構（押圧操作機構）６３が設けられており、収納される半導体記録メディア１０１に対して押圧操作を繰り返すことにより、その半導体記録メディア１０１の装着と離脱が交互に実行されるようになっている。また、記録媒体基板６２には、図示しないが、収納部本体６１の記録媒体基板６２側の開口部に挿通されるコネクタ用端子が実装されている。このコネクタ用端子は、収納部本体５２に半導体記録メディア１０１が装着された状態で、半導体記録メディア１０１のコネクタに接続される。
【００４４】
上述したような記録媒体収納部５は、支持部材６４に取り付けられている。この支持部材６４は、外装ケース２の内部に固定される支持台部６５と、この支持台部６５の一端を折り曲げることにより形成された保持部６６等から構成されている。そして、この保持部６６に記録媒体収納部５が取り付けられ、収納部本体６１の平面が右側面部２ｅに設けた凹部５２の底面５４に平行となるように傾斜された姿勢で固定されている。これにより、記録媒体収納部５の姿勢は、収納部本体６１の開口部６１ａが右側面部２ｅの開閉面５１の記録媒体挿入口３に対向され、且つ、録媒体挿入口３から挿入される半導体記録メディア１０１が開閉面５１に対して斜めに収納されるように傾斜した姿勢とされている。
【００４５】
このような構成を有するデジタルビデオカメラ１によれば、例えば、次のようにして半導体記録メディア１０１を記録媒体収納部５に収納させて装着することができる。まず、半導体記録メディア１０１を右側面部２ｅの開閉面５１に設けた記録媒体挿入口３から挿入し、半導体記録メディア１０１の挿入方向の先端側を記録媒体収納部に差し込む。このとき、半導体記録メディア１０１は、記録媒体挿入口３を設けた凹部５２の底面５４に沿って移動されるため、簡単に記録媒体挿入口３に挿入することができる。
【００４６】
次に、半導体記録メディア１０１を挿入方向に押圧操作する。これにより、記録媒体収納部５に設けたプッシュ・プッシュ機構６３によって半導体記録メディア１０１が記録媒体収納部５に装着される。このとき、凹部５２の底面５４に設けた凹陥部５６に指先を深く差し込むことができるため、その指先の中央を半導体記録メディア１０１の端部に当てて確実に力を加えることができ、半導体記録メディア１０１の押圧操作を容易に行うことができる。また、記録媒体挿入口から露出される半導体記録メディア１０１の挿入方向の後端側は、凹部５２内に位置するため、外装ケース２の開閉面５１から突出することがなく、表示装置９を閉じた際に対向される平面モニタ４５に接触して、その平面モニタ４５を傷つける心配がない。
【００４７】
また、半導体記録メディア１０１を記録媒体収納部５から取り外す場合には、再度、半導体記録メディア１０１を挿入方向に押圧操作する。これにより、記録媒体収納部５に設けたプッシュ・プッシュ機構６３による半導体記録メディア１０１の装着が解除され、取り出し方向に少し押し戻される。そして、凹部５２の底面５４に沿って半導体記録メディア１０１を引き抜くことで、その半導体記録メディア１０１を記録媒体収納部５から取り外すことができる。
【００４８】
その後、表示装置９を閉じる。これにより、表示装置９が蓋となって記録媒体挿入口３が塞がれる。その結果、録媒体挿入口３から外装ケース２の内部に埃や塵等が入り込むのを防止することができる。また、記録媒体挿入口３を隠して電子機器本体の表面に表れないようにすることができ、デザイン性を向上させることができる。
【００４９】
以上説明したように、本発明の電子機器によれば、記録媒体挿入口を設けた電子機器本体の一面に対して情報記録媒体が斜めに収納されるように記録媒体収納部を傾斜させて設けたため、記録媒体挿入口を設けた電子機器本体の一面に対して平行に延在される限られたスペースを有効に活用することができ、電子機器本体の小型化、薄型化を図ることができる。
【００５０】
更に、電子機器本体に回動可能に支持された開閉部材を設け、この開閉部材によって閉じられる電子機器本体の一面に記録媒体挿入口を設けたため、開閉部材を閉じることで記録媒体挿入口に蓋をすることができ、例えば、電子機器を持ち運ぶ際や、保管する際に記録媒体挿入口から機器本体の内部に埃や塵等が入り込むのを防止することができる。しかも、記録媒体挿入口に専用の蓋体を設ける必要がなく、部品点数を削減することができると共に作業工数を減らすことができ、コストダウンを図ることができる。
【００５１】
また、電子機器本体の一面に設けた凹部に記録媒体挿入口を配置すると共に、その凹部に傾斜面を設けて情報記録媒体を挿入及び取り外しする際のガイドとしたため、情報記録媒体の挿入及び取り外しを簡単に行うことができる。更に、記録媒体収納部にプッシュ・プッシュ機構を設けたため、情報記録媒体への押圧操作を行うだけで極めて簡単に情報記録媒体を記録媒体収納部に装着及び離脱させることができる。しかも、凹部の傾斜面に凹陥部を設ける構成としたため、凹陥部５６に指先を深く差し込んで情報記録媒体の端部に確実に力を加えることができ、情報記録媒体の押圧操作を容易に行うことができる。
【００５２】
本実施例では、記録媒体挿入口を電子機器本体の側面に配置する構成としたが、本発明に係る記録媒体挿入口としては、これに限定されるものではなく、電子機器本体の上面、正面等に配置してもよいこと勿論である。この場合にも、表示装置９のような蓋体となりうるものが存在すればより好適である。
【００５３】
本発明は、前述しかつ図面に示した実施の形態に限定されるものではなく、その要旨を逸脱しない範囲内で種々の変形実施が可能である。例えば、前記実施例においては、撮像装置としてデジタルビデオカメラを適用した例について説明したが、デジタルスチルカメラ、携帯電話、携帯ゲーム機器その他の電子機器にも適用できるものである。
【図面の簡単な説明】
【００５４】
【図１】本発明の電子機器の一実施例に係るデジタルビデオカメラを示すもので、このデジタルビデオカメラを正面側から見た斜視図である。
【図２】本発明の電子機器の一実施例に係るデジタルビデオカメラを示すもので、このデジタルビデオカメラを背面側から見た斜視図である。
【図３】図１に示すデジタルビデオカメラの正面図である。
【図４】図１に示すデジタルビデオカメラの背面図である。
【図５】図１に示すデジタルビデオカメラの左側面図である。
【図６】図１に示すデジタルビデオカメラの右側面図である。
【図７】図１に示すデジタルビデオカメラの平面図である。
【図８】図１に示すデジタルビデオカメラの底面図である。
【図９】図１に示すデジタルビデオカメラの表示装置を開いて側方から見た斜視図である。
【図１０】図１に示すデジタルビデオカメラの記録媒体挿入口を拡大して示す説明図である。
【図１１】図１に示すデジタルビデオカメラを水平方向に断面して記録媒体収納部の設置状態を表す説明図である。
【図１２】図１に示すデジタルビデオカメラに係る記録媒体収納部の設置状態を表すもので、外装ケース２の内部を外側から見た説明図である。
【図１３】図１に示すデジタルビデオカメラに係る化粧カバー及び、その化粧カバーが装着される外装ケースの一部を表す説明図である。
【図１４】図１２に示す化粧カバーを裏面側から見た斜視図である。
【図１５】図１２に示す化粧カバーが係合される外装ケースの一部を拡大して表す説明図である。
【図１６】化粧カバーが外装ケースの一部に係合された状態を表す説明図である。
【符号の説明】
【００５５】
１…デジタルビデオカメラ（電子機器）、  ２…外装ケース（電子機器本体）、  ３…記録媒体挿入口、  ５…記録媒体収納部、  ７…レンズ装置、  ８…対物レンズ、  ９…表示装置（開閉部材）、  １６…化粧カバー、  ４５…液晶モニタ、  ４６…モニタケース、  ４８…ケース支持部、  ５１…開閉面、  ５２…凹部、  ５４…底面、  ５５…壁面、  ５５ａ…端面、  ５６…凹陥部、  ５９…制御回路基板、  ６１…収納部本体、  ６１ａ…開口部、  ６２…記録媒体基板、  １０１…半導体記録メディア（情報記録媒体）
【図１】
2007174584.tif 000003
【図２】
2007174584.tif 000004
【図３】
2007174584.tif 000005
【図４】
2007174584.tif 000006
【図５】
2007174584.tif 000007
【図６】
2007174584.tif 000008
【図７】
2007174584.tif 000009
【図８】
2007174584.tif 000010
【図９】
2007174584.tif 000011
【図１０】
2007174584.tif 000012
【図１１】
2007174584.tif 000013
【図１２】
2007174584.tif 000014
【図１３】
2007174584.tif 000015
【図１４】
2007174584.tif 000016
【図１５】
2007174584.tif 000017
【図１６】
2007174584.tif 000018
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
情報記録媒体が着脱可能に収納される記録媒体収納部の記録媒体挿入口が一面に開口された電子機器本体を備え、
前記記録媒体収納部は、前記電子機器本体の前記一面に対して前記情報記録媒体が斜めに収納されるように傾斜させて設けたことを特徴とする電子機器。
【請求項２】
前記電子機器本体には、回動機構によって回動可能に支持された開閉部材を設け、
前記電子機器本体の前記開閉部材により閉じられる位置に前記記録媒体挿入口を配置したことを特徴とする請求項１記載の電子機器。
【請求項３】
前記記録媒体挿入口は、前記電子機器本体の一面に設けた凹部の端面に開口させると共に、当該端面の底と前記一面を緩やかな傾斜面で連続させることにより前記記録媒体を前記記録媒体収納部に挿入する際のガイドとしたことを特徴とする請求項１記載の電子機器。
【請求項４】
前記記録媒体収納部には、前記情報記録媒体の押圧操作を繰り返えすことにより当該情報記録媒体の装着動作と離脱動作が交互に実行されるプッシュ・プッシュ機構を設けたことを特徴とする請求項１記載の電子機器。
【請求項５】
前記傾斜面には、前記情報記録媒体の前記押圧操作を容易にする凹陥部を設けたことを特徴とする請求項３記載の電子機器。
【手続補正２】
【補正対象書類名】明細書
【補正対象項目名】００２０
【補正方法】変更
【補正の内容】
【００２０】
図１４に示すように、本体板８１の裏面の長手方向の両側には、第１の突条片８４と第２の突条片８５が設けられている。第１の突条片８４の上面には、第１の係合爪８４ａと第２の係合爪８４ｂが設けられていると共に、第２の突条片８５に対向する表裏面を貫通する角孔８４ｃが設けられている。第１の突条片８４の第１及び第２の係合爪８４ａ，８４ｂは、正面側ケース部材２Ａに設けた後述する係合突部８９，９０に係合される。また、角孔８４ｃには、右側ケース部材２Ｂの突起片９４が挿通される。
【手続補正３】
【補正対象書類名】明細書
【補正対象項目名】００４３
【補正方法】変更
【補正の内容】
【００４３】
収納部本体６１の内部には、図示しないプッシュ・プッシュ機構（押圧操作機構）６３が設けられており、収納される半導体記録メディア１０１に対して押圧操作を繰り返すことにより、その半導体記録メディア１０１の装着と離脱が交互に実行されるようになっている。また、記録媒体基板６２には、図示しないが、収納部本体６１の記録媒体基板６２側の開口部に挿通されるコネクタ用端子が実装されている。このコネクタ用端子は、収納部本体６１に半導体記録メディア１０１が装着された状態で、半導体記録メディア１０１のコネクタに接続される。
【手続補正４】
【補正対象書類名】図面
【補正対象項目名】図１
【補正方法】変更
【補正の内容】
【図１】
2007174584.tif 000019
【手続補正５】
【補正対象書類名】図面
【補正対象項目名】図２
【補正方法】変更
【補正の内容】
【図２】
2007174584.tif 000020
【手続補正６】
【補正対象書類名】図面
【補正対象項目名】図１１
【補正方法】変更
【補正の内容】
【図１１】
2007174584.tif 000021
【手続補正７】
【補正対象書類名】図面
【補正対象項目名】図１４
【補正方法】変更
【補正の内容】
【図１４】
2007174584.tif 000022
【手続補正８】
【補正対象書類名】図面
【補正対象項目名】図１５
【補正方法】変更
【補正の内容】
【図１５】
2007174584.tif 000023
【手続補正９】
【補正対象書類名】図面
【補正対象項目名】図１６
【補正方法】変更
【補正の内容】
【図１６】
2007174584.tif 000024